【手続補正書】
【提出日】平成27年11月6日(2015.11.6)
【手続補正１】
【補正対象書類名】特許請求の範囲
【補正対象項目名】全文
【補正方法】変更
【補正の内容】
【特許請求の範囲】
【請求項１】
ポリマー樹脂を含浸させた連続一方向繊維を備える一方向（ＵＤ）テープから物品を形成する方法であって、
冷ＵＤテープの連続部分を巻回して、前記冷ＵＤテープの前記連続部分の複数の積み重ねられた層を含む閉ループ巻回ＵＤテープ予備成形品を形成するステップと、
巻回中、少なくとも２つの隣接する積み重ねられた層を、前記巻回の終端または終端近くで、かつ任意選択的に前記複数の積み重ねられた層の１つまたは複数の他のレベルで、少なくとも１つの別個の位置で合わせて直接固定するステップと、
前記巻回ＵＤテープ予備成形品を圧密化するステップと、を含む方法。
【請求項２】
請求項１に記載の方法によって形成された、閉ループ状圧密化巻回ＵＤテープ予備成形品を具備する物品。
【手続補正２】
【補正対象書類名】明細書
【補正対象項目名】００５２
【補正方法】変更
【補正の内容】
【００５２】
２  製造機器
８  テープ巻回ロボット
１６  治具
１６ａ、１６ｂ  治具部品
４８  テープガイドチャネル
５０  挿入物保持部
１８  ローラシュー
５２  アーム
２０  カッタ
２２  溶接機
２４  頂部能動位置決め装置−位置特定ローラ
２５  側部能動位置決め装置−位置特定ローラ
２６  テープリール
１０  加熱ステーション
１２  搬送システム
２８  グリッパ
１４  モールドプレス
３０  圧縮モールド金型
３０ａ  上金型
３２ａ  金型キャビティ相手側部品
３４  能動コア
３０ｂ  下金型
３２ｂ  金型キャビティ
３６  側部能動コア
４  物品
３７  圧密化繊維強化部
３８  巻回ＵＤテープ予備成形品
４４  別個の溶接部
４６  固定要素−留め金
４０  挿入物
４２  オーバーモールド部
６  一方向テープ
６ａ  狭い（位置合せされた）積層部分
６ｂ  広い（ずれた）積層部分
以下、本明細書に記載の主な発明につき列記する。
［１］
ポリマー樹脂を含浸させた連続一方向繊維を備える一方向（ＵＤ）テープから物品を形成する方法であって、
冷ＵＤテープの連続部分を巻回して、前記冷ＵＤテープの前記連続部分の複数の積み重ねられた層を含む閉ループ巻回ＵＤテープ予備成形品を形成するステップと、
巻回中、少なくとも２つの隣接する積み重ねられた層を、前記巻回の終端または終端近くで、かつ任意選択的に前記複数の積み重ねられた層の１つまたは複数の他のレベルで、少なくとも１つの別個の位置で合わせて直接固定するステップと、
前記巻回ＵＤテープ予備成形品を圧密化するステップと、を含む方法。
［２］
合わせて直接固定する前記ステップが、超音波手段または誘導手段による溶接を含む、接着接合または溶接を含む、前記［１］に記載の方法。
［３］
前記巻回ＵＤテープ予備成形品を圧密化する前記ステップが、圧縮金型を加熱し，かつそこに圧力を加えることにより、前記複数の積み重ねられたテープ層を圧密化する工程、または前記巻回ＵＤテープ予備成形品を加熱しオーバーモールドする工程を含む、前記［１］または［２］に記載の方法。
［４］
前記巻回ステップ中、ＵＤテープの隣接する積み重ねられた層のうちの少なくとも２つを、前記巻回の始端または始端近くで合わせて別個に固定するステップを含む、前記［１］〜［３］のいずれか一項に記載の方法。
［５］
巻回中、前記巻回の始端と終端との間の前記巻回の中間部分において、ＵＤテープのさらなる複数の隣接する積み重ねられた層を別個に固定するステップを含む、前記［１］〜［４］のいずれか一項に記載の方法。
［６］
巻回中、ＵＤテープの前記隣接する積み重ねられた層のうちの大部分またはすべてを互いに別個に固定するステップを含む、前記［１］〜［５］のいずれか一項に記載の方法。
［７］
巻回中、前記閉ループに沿った異なる位置でＵＤテープの隣接する積み重ねられた層を別個に固定するステップを含む、前記［１］〜［６］のいずれか一項に記載の方法。
［８］
前記ＵＤテープが、前記テープを案内するチャネルを備える治具の周囲に巻回される、前記［１］〜［７］のいずれか一項に記載の方法。
［９］
前記テープが治具の周囲に巻回され、前記治具が、巻回後に、前記ＵＤテープ予備成形品を前記治具から取り除くことができるように構成された少なくとも２つの別々の部品を備える、前記［１］〜［８］のいずれか一項に記載の方法。
［１０］
前記テープが治具の周囲に巻回され、前記治具が、前記治具に対して前記テープを押し下げる頂部能動位置決めピンを備える、前記［１］〜［９］のいずれか一項に記載の方法。
［１１］
前記テープが治具の周囲に巻回され、前記治具が、前記テープを前記テープの平面に対して本質的に平行な方向において横方向に押圧する側部能動位置決めピンを備える、前記［１］〜［１０］のいずれか一項に記載の方法。
［１２］
前記テープが、テープの下にある部分に対してテープのいくつかの部分を横方向にずらすように巻回される、請求項前記［１］〜［１１］のいずれか一項に記載の方法。
［１３］
前記テープが、ロール状に保管され、巻回プロセス中に前記ロールから送られ、前記テープが、ポリマー樹脂を含浸させた一方向繊維のシートから作製され、前記シートの厚みが０．１ｍｍ〜０．５ｍｍであり、前記シートは、前記繊維の方向に０．５ｃｍ〜５ｃｍのテープ幅に切断されている、前記［１］〜［１２］のいずれか一項に記載の方法。
［１４］
前記巻回が、３層〜１００層の範囲で複数の積み重ねられた層を形成する、前記［１］〜［１３］のいずれか一項に記載の方法。
［１５］
前記圧密化するステップが、前記ＵＤテープ予備成形品を加熱ステーションにおいて圧密化を可能にする樹脂軟化温度まで加熱する工程と、その後、前記加熱されたＵＤテープ予備成形品を圧縮モールド金型まで搬送して圧力を加える工程とを含む、前記［１］〜［１４］のいずれか一項に記載の方法。
［１６］
前記圧縮モールド金型が、内部に前記ＵＤテープ予備成形品を受け入れる金型キャビティを備える下金型を備え、前記下金型が、層の積重ね方向に対して本質的に平行な方向に前記ＵＤテープ予備成形品を圧縮するように構成された横方向能動コアを備える、前記［１５］に記載の方法。
［１７］
前記圧縮モールド金型が、内部に前記ＵＤテープ予備成形品を受け入れる金型キャビティを備える下金型と、能動コアを備える上金型とを備え、前記上金型が、前記層の前記積重ね方向に対して本質的に直交する方向に前記ＵＤテープ予備成形品を圧縮するように構成される、前記［１５］に記載の方法。
［１８］
圧密化の後、前記圧密化ＵＤテープ予備成形品の少なくとも一部をオーバーモールドするステップをさらに含む、前記［１］〜［１７］のいずれか一項に記載の方法。
［１９］
前記［１］〜［１８］のいずれか一項に記載の方法によって形成された、閉ループ状圧密化巻回ＵＤテープ予備成形品を具備する物品。
［２０］
前記繊維が、ガラス繊維、カーボン繊維、アラミド繊維、金属繊維、セラミック繊維、天然繊維またはそれらの混合物からなる群から選択され、前記ポリマー樹脂が、ポリプロピレン、ポリアミド、；ポリブタジエンテレフタレート、ポリエチレンテレフタレートを含む熱可塑性ポリエステル、熱可塑性エラストマー、ポリフェニレンサルファイドおよびポリエーテルイミドからなる群から選択される前記［１］〜［１８］のいずれか一項に記載の方法。